(57)【要約】【課題】小型化が可能な血圧測定装置を提供すること。【解決手段】血圧測定装置１は、樹脂材料により形成され、流体により膨張するカフ構造体６と、生体の装着する部位の周方向に倣って湾曲するとともに、一端と他端とが離間して形成され、カフ構造体６が溶着されるとともに、カフ構造体６が溶着される部位が少なくともカフ構造体６を形成する樹脂材料と同種材料で形成されたカーラ５と、を備える。【選択図】      図４
2020062088.tif 000002
【特許請求の範囲】
【請求項１】
樹脂材料により形成され、流体により膨張するカフ構造体と、
生体の装着する部位の周方向に倣って湾曲するとともに、一端と他端とが離間して形成され、前記カフ構造体が溶着されるとともに、前記カフ構造体が溶着される部位が少なくとも前記カフ構造体を形成する樹脂材料と同種材料で形成されたカーラと、
を備える、血圧測定装置。
【請求項２】
前記カーラは、前記カフ構造体を構成する樹脂材料と同種材料により形成される、請求項１に記載の血圧測定装置。
【請求項３】
前記カーラは、前記カフ構造体と溶着する部位に設けられ、前記カフ構造体を構成する材料と同種材料により構成された第１部位、及び、前記第１部位に一体に形成され、前記第１部位よりも硬い材料により構成された第２部位を備える請求項１に記載の血圧測定装置。
【請求項４】
前記カフ構造体は、前記カーラの内周面に溶着される、請求項１に記載の血圧測定装置。
【請求項５】
前記カフ構造体は、幅方向の縁に前記カーラの外周面の一部に溶着される接合片を有し、前記カーラの内周面に配置される、請求項１に記載の血圧測定装置。
【請求項６】
前記生体の装着する部位の周方向に延在する、前記カフ構造体が溶着されるとともに、前記カフ構造体が溶着される部位が少なくとも前記カフ構造体を形成する樹脂材料と同種材料で形成された背板をさらに備える、請求項１に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、生体の上腕又は手首等に巻き付けたカフを膨張及び収縮させ、圧力センサによりカフの圧力を検出することで、動脈壁の振動を検出して血圧を測定する。
【０００３】
このような血圧測定装置として、例えば、カフとカフに流体を供給する装置本体とが一体に構成された所謂一体型と呼ばれるものが知られている。このような血圧測定装置は、カフに皺や折れ等が発生すると、測定した血圧測定結果の精度が低下する、という問題がある。また、血圧測定装置は、血管の圧閉方向にカフが膨張し、カフが手首に密着することが求められる。
【０００４】
そこで、血圧測定装置は、膨張したカフを上腕や手首に密着させるために、ベルトとカフの間にカーラを用いる技術が知られている（例えば、特許文献１参照）。カーラは、例えば、上腕や手首の周方向の形状に沿った形状を有し、内周面にカフが配置される。また、カーラは、血圧測定装置の装着時にベルトによる締め付けによって上腕や手首の周方向の形状や太さに合うように変形するとともに、カフの膨張によって変形することが抑制できる比較的硬質の樹脂材料により構成される。
【０００５】
このようなカーラは、カフが膨張したときにカフが好適に手首を圧迫し、カフのふくらみを血管の圧閉方向に集中させる。また、カーラは、カフに皺や折れ等が発生することを防止する。
【０００６】
また、カーラ及びカフの接合方法として、両面テープや接着剤等の接着層を用いた接合や縫製やリベット接合等のように別部材を用いた接合が知られている。
【先行技術文献】
【特許文献】
【０００７】
【特許文献１】特開２０１８−１０２７４３号公報
【発明の概要】
【発明が解決しようとする課題】
【０００８】
上述した血圧測定装置は、昨今、手首に装着するウェアラブルデバイスも考えられている。このようなウェアラブルデバイスの血圧測定装置は、さらなる小型化が求められている。特に、血圧計を常時装着して使用することを想定すると、血圧測定装置は、腕時計並みに小型化することが求められる。
【０００９】
しかしながら、接着層や別部材を用いた接合においては、接合代をカフやカーラに設ける必要があり、カフやカーラの寸法形状が大きくなる。このように、接着層や別部材により血圧測定装置の寸法形状が大きくなり、血圧測定装置の小型化が困難であった。
【００１０】
そこで本発明は、小型化が可能な血圧測定装置を提供することを目的とする。
【課題を解決するための手段】
【００１１】
一態様によれば、樹脂材料により形成され、流体により膨張するカフ構造体と、生体の装着する部位の周方向に倣って湾曲し、前記カフ構造体が溶着されるとともに、前記カフ構造体が溶着される部位が少なくとも前記カフ構造体を形成する樹脂材料と同種材料で形成されたカーラと、を備える血圧測定装置が提供される。
【００１２】
ここで、流体とは、液体及び空気を含む。カフとは、血圧を測定するときに生体の上腕や手首等に巻き付けられ、流体が供給されることで膨張するものであり、空気袋等の袋状構造体を含む。
【００１３】
また、同種材料とは、熱による溶着において相溶性がよく、また、軟化温度が同じか又は近い二つの材料をいう。相溶性とは、溶着時に軟化又は溶融した樹脂材料同士が混ざり合う程度をいい、相溶性がよいとは、溶着時に軟化又は溶融した樹脂材料同士が混ざり合う程度が好適な接合、即ち要求される接合強度で接合ができることを意味する。
【００１４】
この態様によれば、カフ構造体及びカーラを熱による溶着によって好適に接合できることから、カフ構造体をカーラに強固に接合することができる。また、カフ構造体及びカーラを熱による溶着によって直接接合できることから、別途接合代を設ける必要がなく、また、縫製等のように別部材を用いてカフ構造体及びカーラを接合する必要がない。接合代や別部材によって外形状が大きくなることを防止できるから、血圧測定装置は、小型化が可能となる。
【００１５】
上記一態様の血圧測定装置において、前記カーラは、前記カフ構造体を構成する樹脂材料と同種材料により形成される血圧測定装置が提供される。
【００１６】
この態様によれば、カーラを一種類の樹脂材料で形成できることから、製造が容易となる。また、カーラの全ての部位においカフ構造体と熱による溶着が可能となることから、溶着部位の設計に高い自由度を有する。
【００１７】
上記一態様の血圧測定装置において、前記カーラは、前記カフ構造体と溶着する部位に設けられ、前記カフ構造体を構成する材料と同種材料により構成された第１部位、及び、前記第１部位に一体に形成され、前記第１部位よりも硬い材料により構成された第２部位を備える血圧測定装置が提供される。
【００１８】
この態様によれば、カーラを第１部位によってカフ構造体と熱による溶着を可能とし、そして、第２部位によってカーラに求められる機能を得られることから、材料の選定に高い自由度を有する。
【００１９】
上記一態様の血圧測定装置において、前記カフ構造体は、前記カーラの内周面に溶着される血圧測定装置が提供される。
【００２０】
この態様によれば、カフ構造体をカーラと幅方向で同寸法以下としても、カーラにカフ構造体を接合することが可能となり、血圧測定装置の小型化が可能となる。
【００２１】
上記一態様の血圧測定装置において、前記カフ構造体は、幅方向の縁に前記カーラの外周面の一部に溶着される接合片を有し、前記カーラの内周面に配置される血圧測定装置が提供される。
【００２２】
この態様によれば、接合片をカフ構造体の一部に設け、この接合片をカーラの外周面に向かって折り返してカーラの外周面に接合することできることから、カーラの外周面でカフ構造体を溶着しても、カーラの幅方向の寸法が増加することを抑制することが可能となり、血圧測定装置の小型化が可能となる。
【発明の効果】
【００２３】
本発明は、小型化が可能な血圧測定装置を提供することができる。
【図面の簡単な説明】
【００２４】
【図１】本発明の第１の実施形態に係る血圧測定装置の構成を示す斜視図。
【図２】同血圧測定装置の構成を示す斜視図。
【図３】同血圧測定装置の構成を分解して示す斜視図。
【図４】同血圧測定装置を手首に装着した状態を示す説明図。
【図５】同血圧測定装置の構成を示すブロック図。
【図６】同血圧測定装置の装置本体及びカーラの構成を示す斜視図。
【図７】同血圧測定装置のカフ構造体の構成を示す平面図。
【図８】同血圧測定装置のカフ構造体の他の構成を示す平面図。
【図９】同血圧測定装置のベルト、カーラ、カフ構造体の構成を示す断面図。
【図１０】同血圧測定装置のカーラ、カフ構造体の構成を示す断面図。
【図１１】同血圧測定装置のカーラ、カフ構造体の構成を示す断面図。
【図１２】同血圧測定装置を手首に装着した状態で、カフ構造体を膨張させたときの構成を示す説明図。
【図１３】同血圧測定装置を手首に装着した状態で、カフ構造体を膨張させたときの構成を示す断面図。
【図１４】同血圧測定装置の使用の一例を示す流れ図。
【図１５】同血圧測定装置を手首に装着する一例を示す斜視図。
【図１６】同血圧測定装置を手首に装着する一例を示す斜視図。
【図１７】同血圧測定装置を手首に装着する一例を示す斜視図。
【図１８】本発明の第２の実施形態に係る血圧測定装置のカーラ、カフ構造体の構成を示す断面図。
【図１９】同血圧測定装置のカーラ、カフ構造体の構成の変形例を示す断面図。
【図２０】同血圧測定装置のカーラの他の変形例の構成を示す断面図。
【図２１】同血圧測定装置のカーラの他の変形例の構成を示す断面図。
【図２２】同血圧測定装置のカーラ、カフ構造体の他の変形例の構成を示す断面図。
【図２３】同血圧測定装置のカーラ、カフ構造体の他の変形例の構成を示す断面図。
【図２４】本発明の第３の実施形態に係る血圧測定装置の構成を示す斜視図。
【図２５】同血圧測定装置の構成を示す断面図。
【図２６】同血圧測定装置の構成を示すブロック図。
【発明を実施するための形態】
【００２５】
［第１の実施形態］
以下、本発明の第１の実施形態に係る血圧測定装置１の一例について、図１乃至図１３を用いて以下例示する。
【００２６】
図１は、本発明の第１の実施形態に係る血圧測定装置１の構成を、ベルト４を閉じた状態で示す斜視図である。図２は、血圧測定装置１の構成を、ベルト４を開いた状態で示す斜視図である。図３は、血圧測定装置１の構成を示す分解斜視図である。図４は、血圧測定装置１を手首２００に装着した状態を断面で示す説明図である。図５は、血圧測定装置１の構成を示すブロック図である。図６は、血圧測定装置１の装置本体３及びカーラ５の構成を示す斜視図である。図７は、血圧測定装置１のカフ構造体６の構成を示す平面図である。図８は、血圧測定装置１のカフ構造体６の他の構成を示す平面図である。図９は、血圧測定装置１の平カフ７１側における、ベルト４、カーラ５及びカフ構造体６の構成を図７中ＩＸ−ＩＸ線断面で示す断面図である。図１０は、血圧測定装置１の甲カフ７４側における、カーラ５及びカフ構造体６の構成を図７中Ｘ−Ｘ線断面で示す断面図である。図１１は、血圧測定装置１の甲カフ７４側における、カーラ５及びチューブ９２を省略したカフ構造体６の構成を図７中ＸＩ−ＸＩ線断面で示す断面図である。図１２は、血圧測定装置１を手首２００に装着した状態で、カフ構造体６を膨張させたときの構成を示す説明図である。図１３は、血圧測定装置１を手首に装着した状態で、カフ構造体６を膨張させたときの構成を図７中ＸＩＩＩ−ＸＩＩＩ線断面で示す断面図である。
【００２７】
血圧測定装置１は、生体に装着する電子血圧測定装置である。本実施形態においては、生体の手首２００に装着するウェアラブルデバイスの態様をもつ電子血圧測定装置を用いて説明する。
【００２８】
図１乃至図３に示すように、血圧測定装置１は、装置本体３と、手首に装置本体３を固定するベルト４と、ベルト４及び手首の間に配置されるカーラ５と、平カフ７１、センシングカフ７３及び甲カフ７４を有するカフ構造体６と、装置本体３及びカフ構造体６を流体的に接続する流体回路７と、を備えている。
【００２９】
図１乃至図５に示すように、装置本体３は、例えば、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、カフ構造体６に流体を供給する。
【００３０】
図１乃至図３に示すように、ケース１１は、外郭ケース３１と、外郭ケース３１の上部開口を覆う風防３２と、外郭ケース３１の内部の下方に設けられた基部３３と、外郭ケース３１の下方を覆う裏蓋３５と、を備えている。
【００３１】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。風防３２は、例えば、円形状のガラス板である。
【００３２】
基部３３は、表示部１２、操作部１３、ポンプ１４、開閉弁１６、圧力センサ１７、電力供給部１８、振動モータ１９及び制御基板２０を保持する。また、基部３３は、例えば、ポンプ１４及びカフ構造体６を流体的に連続する流路部１５の一部を構成する。
【００３３】
裏蓋３５は、外郭ケース３１の生体側の端部を覆う。裏蓋３５は、例えば４つのビス３５ａ等によって外郭ケース３１又は基部３３の生体側の端部に固定される。
【００３４】
表示部１２は、外郭ケース３１の基部３３上であって、且つ、風防３２の直下に配置される。図５に示すように、表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００３５】
操作部１３は、使用者からの指令を入力可能に構成される。例えば、操作部１３は、図５に示すように、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００３６】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００３７】
ポンプ１４は、例えば圧電ポンプである。ポンプ１４は、空気を圧縮し、流路部１５を介して圧縮空気をカフ構造体６に供給する。ポンプ１４は、電気的に制御基板２０に接続される。
【００３８】
流路部１５は、図５に示すように、ポンプ１４から平カフ７１及び甲カフ７４へつながる流路、及び、ポンプ１４からセンシングカフ７３へつながる流路を構成する。また、流路部１５は、平カフ７１及び甲カフ７４から大気へつながる流路、及び、センシングカフ７３から大気へつながる流路を構成する。流路部１５は、基部３３等に設けられた中空部、溝及びチューブ等により構成された空気の流路である。
【００３９】
開閉弁１６は、流路部１５の一部を開閉する。開閉弁１６は、例えば、図５に示すように、複数設けられ、各開閉弁１６の開閉の組み合わせによりポンプ１４から平カフ７１及び甲カフ７４へつながる流路、ポンプ１４からセンシングカフ７３へつながる流路、平カフ７１及び甲カフ７４から大気へつながる流路、及び、センシングカフ７３から大気へつながる流路を選択的に開閉する。例えば、開閉弁１６は、２つ用いられる。
【００４０】
圧力センサ１７は、平カフ７１、センシングカフ７３及び甲カフ７４の圧力を検出する。圧力センサ１７は、電気的に制御基板２０に接続される。圧力センサ１７は、検出した圧力を電気信号に変換し、制御基板２０へ出力する。圧力センサ１７は、例えば、図５に示すように、ポンプ１４から平カフ７１及び甲カフ７４へつながる流路、及び、ポンプ１４からセンシングカフ７３へつながる流路に設けられる。これらの流路は平カフ７１、センシングカフ７３及び甲カフ７４と連続することから、これら流路内の圧力が平カフ７１、センシングカフ７３及び甲カフ７４の内部空間の圧力となる。
【００４１】
電力供給部１８は、例えば、リチウムイオンバッテリ等の二次電池である。電力供給部１８は、制御基板２０に電気的に接続される。電力供給部１８は、制御基板２０に電力を供給する。
【００４２】
図５及び図６に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００４３】
基板５１は、ケース１１の基部３３にビス等によって固定される。
【００４４】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００４５】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００４６】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００４７】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００４８】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００４９】
例えば、制御部５５は、図５に示すように、血圧測定装置１全体の動作を制御するメインＣＰＵ（Central Processing Unit）５６及び流体回路７の動作を制御するサブＣＰＵ５７を有する。例えば、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００５０】
例えば、サブＣＰＵ５７は、操作部１３から血圧を測定する指令が入力されると、ポンプ１４及び開閉弁１６を駆動して平カフ７１及びセンシングカフ７３に圧縮空気を送る。また、サブＣＰＵ５７は、圧力センサ１７が出力する電気信号に基づいて、ポンプ１４の駆動及び停止、並びに、開閉弁１６の開閉を制御する。サブＣＰＵ５７は、ポンプ１４及び開閉弁１６を制御することで、圧縮空気を平カフ７１及びセンシングカフ７３に選択的に送るとともに、平カフ７１及びセンシングカフ７３を選択的に減圧する。
【００５１】
図１乃至図３に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００５２】
第１ベルト６１は、所謂親と呼ばれ、帯状に構成される。第１ベルト６１は、一方の端部に設けられ、第１ベルト６１の長手方向に直交する第１孔部６１ａと、他方の端部に設けられ、第１ベルト６１の長手方向に直交する第２孔部６１ｂと、第２孔部６１ｂに設けられた尾錠６１ｃと、を有する。第１孔部６１ａは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ａが配置されることで、外郭ケース３１に回転可能に保持される。
【００５３】
第２孔部６１ｂは、第１ベルト６１の先端に設けられる。尾錠６１ｃは、矩形枠状の枠状体６１ｄと、枠状体６１ｄに回転可能に取り付けられたつく棒６１ｅと、を有する。枠状体６１ｄは、つく棒６１ｅが取り付けられた一辺が第２孔部６１ｂに挿入され、第１ベルト６１に関して回転可能に取り付けられる。
【００５４】
第２ベルト６２は、所謂剣先と呼ばれ、枠状体６１ｄに挿入可能な幅を有する帯状に構成される。また、第２ベルト６２は、つく棒６１ｅが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００５５】
このようなベルト４は、第２ベルト６２が枠状体６１ｄに挿入され、小孔６２ａにつく棒６１ｅが挿入されることで、第１ベルト６１及び第２ベルト６２が一体に接続され、外郭ケース３１とともに、手首２００の周方向に倣った環状となる。
【００５６】
カーラ５は、図４に示すように、手首の周方向に倣って湾曲する帯状に構成される。カーラ５は、一端と他端が離間して形成される。カーラ５は、例えば、一端側の外面が装置本体３の裏蓋３５に固定される。カーラ５は、一端及び他端が裏蓋３５よりも突出した位置に配置される。また、カーラ５は、所定の距離だけ離間して一端及び他端が隣接する。
【００５７】
具体例として、カーラ５は、ビス３５ａ等を用いて裏蓋３５と共に、外郭ケース３１又は基部３３の生体側の端部に固定される。また、カーラ５は、血圧測定装置１を手首２００に装着したときに、一端及び他端が手首２００の一方の側方へ位置するように、裏蓋３５に固定される。
【００５８】
具体例として、図１及び図２、図４に示すように、カーラ５は、例えば、手首の周方向に対して直交する方向、換言すると手首の長手方向からの側面視で手首２００の周方向に沿って湾曲する形状を有する。カーラ５は、例えば、装置本体３から手首２００の手の甲側及び手首２００の一方の側方側を通って手首２００の手の平側へと渡り、手首２００の他方の側方側へと延びる。即ち、カーラ５は、手首２００の周方向に沿って湾曲することで、手首２００の周方向の大半に渡って配置されるとともに、両端が所定の間隔を有して離間する。
【００５９】
カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【００６０】
カーラ５は、内周面にカフ構造体６が配置され、そして、カーラ５の内周面形状に沿ってカフ構造体６を保持する。具体例として、カーラ５は、平カフ７１及び甲カフ７４が内周面に配置され、外周面又は内周面に平カフ７１及び甲カフ７４が熱により溶着されることで、カフ構造体６が固定される。本実施形態においては、カーラ５は、内周面に平カフ７１及び甲カフが熱により溶着される。
【００６１】
カーラ５は、熱可塑性樹脂材料により形成される。また、カーラ５は、平カフ７１及び甲カフ７４よりも硬い材料が用いられる。例えば、カーラ５は、単一材料で構成される。例えば、カーラ５を構成する樹脂材料は、平カフ７１及び甲カフ７４を構成する樹脂材料と同種の材料が用いられる。
【００６２】
具体的には、カーラ５を構成する樹脂材料は、平カフ７１及び甲カフ７４を構成する樹脂材料と溶着時に相溶性がよい材料で構成される。ここで、相溶性とは、溶着時に軟化又は溶融した樹脂材料同士が混ざり合う程度をいい、相溶性がよいとは、溶着時に軟化又は溶融した樹脂材料同士が混ざり合う程度が好適な接合、即ち要求される接合強度で接合ができることをいう。具体的には、本実施形態において相溶性がよい樹脂材料とは、カーラ５を構成する樹脂材料と平カフ７１及び甲カフ７４を構成する樹脂材料とが熱による溶着時に好適に混ざり合い、溶着後に溶着部位においてカーラ５の樹脂材料と平カフ７１又は甲カフ７４の樹脂材料が一体となることができる２つの樹脂材料である。
【００６３】
また、カーラ５を構成する樹脂材料は、平カフ７１及び甲カフ７４を構成する樹脂材料と、軟化する温度が同じか、又は、軟化する温度が近い材料で構成される。なお、カーラ５、平カフ７１及び甲カフ７４を構成する樹脂材料は、カーラ５及びカフ構造体６を溶着するときに、互いに軟化し、溶け合う温度であれば、適宜設定可能である。例えば、カーラ５と平カフ７１及び甲カフ７４の溶着方法としては、ウェルダー溶着、レーザー溶着、熱溶着、熱風溶着、誘導溶着、超音波溶着、輻射溶着等を用いることができる。
【００６４】
カーラ５を構成する熱可塑性樹脂材料としては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。カーラ５は、例えば、厚さが１ｍｍ程度に形成される。
【００６５】
図１乃至図４、図７乃至図１３に示すように、カフ構造体６は、平カフ（カフ）７１と、背板７２と、センシングカフ７３と、甲カフ（カフ）７４と、を備えている。カフ構造体６は、カーラ５に固定される。カフ構造体６は、平カフ７１、背板７２及びセンシングカフ７３が積層してカーラ５に配置され、甲カフ７４が平カフ７１、背板７２及びセンシングカフ７３と離間してカーラ５に配置される。
【００６６】
具体例として、カフ構造体６は、カーラ５の内面に、平カフ７１、背板７２、センシングカフ７３及び甲カフ７４が配置される。カフ構造体６は、カーラ５の手首２００の手の平側の内面に、カーラ５の内面から生体側に向かって、平カフ７１、背板７２及びセンシングカフ７３の順に積層して固定される。また、カフ構造体６は、カーラ５の手首２００の手の甲側の内面に甲カフ７４が配置される。カフ構造体６の各部材は、積層方向に隣接する部材に両面テープや接着剤等によって固定される。
【００６７】
平カフ７１は、所謂押圧カフである。平カフ７１は、流路部１５を介してポンプ１４に流体的に接続される。平カフ７１は、膨張することで背板７２及びセンシングカフ７３を生体側に押圧する。平カフ７１は、複数の、例えば二層の空気袋８１を含む。平カフ７１は、カーラ５と熱による溶着において高い相溶性を有する同種の樹脂材料に構成される。
【００６８】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。複数の空気袋８１は、積層され、積層方向に流体的に連通する。
【００６９】
空気袋８１は、一方向に長い矩形状に構成される。空気袋８１は、例えば、一方向に長い二枚のシート部材８６を組み合わせ、縁部を熱により溶着することで構成される。具体例として、二層の空気袋８１は、図７乃至図９に示すように、生体側から、第１シート部材８６ａと、第１シート部材８６ａと一層目の空気袋８１を構成する第２シート部材８６ｂと、第２シート部材８６ｂと一体に接着される第３シート部材８６ｃと、第３シート部材８６ｃと二層目の空気袋８１を構成する第４シート部材８６ｄと、を備える。なお、二層の空気袋８１は、隣り合う空気袋８１の各シート部材８６が両面テープ及び接着剤等による接着又は溶着等により接合されることで一体に構成される。
【００７０】
第１シート部材８６ａ及び第２シート部材８６ｂは、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。第４シート部材８６ｄは、カーラ５に配置され、カーラ５の内周面又は外周面に熱により溶着される。
【００７１】
第３シート部材８６ｃ及び第４シート部材８６ｄは、四辺の周縁部が溶着されることで空気袋８１を構成する。
【００７２】
背板７２は、接着剤層や両面テープ等により平カフ７１の第１シート部材８６ａの外面に貼付される。背板７２は、樹脂材料で板状に形成される。背板７２は、例えば、ポリプロピレンからなり、厚さが１ｍｍ程度の板状に形成される。背板７２は、形状追従性を有する。
【００７３】
ここで、形状追従性とは、配置される手首２００の被接触箇所の形状を倣うように背板７２が変形可能な機能をいい、手首２００の被接触箇所とは、背板７２が対向する手首２００の領域をいい、ここでの接触とは、直接的な接触及びセンシングカフ７３を介した間接的な接触の双方を含む。
【００７４】
例えば、図９に示すように、背板７２は、背板７２の両主面に長手方向に対して直交する方向に延びる複数の溝７２ａを有する。図９に示すように、溝７２ａは、背板７２の両主面にそれぞれ複数設けられる。両主面に設けられた複数の溝７２ａは、背板７２の厚さ方向においてそれぞれ対向する。また、複数の溝７２ａは、背板７２の長手方向に等間隔に配置される。
【００７５】
背板７２は、複数の溝７２ａを有する部位が溝７２ａを有さない部位に比べて薄肉となることで、複数の溝７２ａを有する部位が変形しやすいことから、手首２００の形状に倣って変形し、手首の周方向に延在する形状追従性を有する。背板７２は、手首２００の手の平側を覆う長さに形成される。背板７２は、手首２００の形状に沿った状態で、平カフ７１からの押圧力をセンシングカフ７３の背板７２側の主面に伝達する。
【００７６】
センシングカフ７３は、背板７２の生体側の主面に固定される。センシングカフ７３は、図１２及び図１３に示すように、手首２００の動脈２１０が存する領域に直接接触する。ここで、動脈２１０とは、橈骨動脈及び尺骨動脈である。センシングカフ７３は、背板７２の長手方向及び幅方向で、背板７２と同一形状か、又は、背板７２よりも小さい形状に形成される。センシングカフ７３は、膨張することで手首２００の手の平側の動脈２１０が存する領域を圧迫する。センシングカフ７３は、膨張した平カフ７１により、背板７２を介して生体側に押圧される。
【００７７】
具体例として、センシングカフ７３は、一つの空気袋９１と、空気袋９１と連通するチューブ９２と、チューブ９２の先端に設けられた接続部９３と、を含む。センシングカフ７３は、空気袋９１の一方の主面が背板７２に固定される。例えば、センシングカフ７３は、背板７２の生体側の主面に両面テープや接着剤層等により貼付される。
【００７８】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。
【００７９】
空気袋９１は、一方向に長い矩形状に構成される。空気袋９１は、例えば、一方向に長い二枚のシート部材９６を組み合わせ、縁部を熱により溶着することで構成される。具体例として、空気袋９１は、図９及び図１３に示すように、生体側から第５シート部材９６ａ及び第６シート部材９６ｂを備える。
【００８０】
例えば、第５シート部材９６ａ及び第６シート部材９６ｂは、第５シート部材９６ａ及び第６シート部材９６ｂの一辺に、空気袋９１の内部空間と流体的に連続するチューブ９２が配置され、溶着により固定される。例えば、第５シート部材９６ａ及び第６シート部材９６ｂは、第５シート部材９６ａ及び第６シート部材９６ｂ間にチューブ９２が配置された状態で四辺の周縁部を溶着して空気袋９１を成形することで、チューブ９２が一体に溶着される。
【００８１】
チューブ９２は、空気袋９１の長手方向の一方の端部に設けられる。具体例として、チューブ９２は、空気袋９１の装置本体３に近い端部に設けられる。チューブ９２は、先端に、接続部９３を有する。チューブ９２は、流路部１５に接続され、装置本体３と空気袋９１との間の流路を構成する。接続部９３は、流路部１５に接続される。接続部９３は、例えばニップルである。
【００８２】
甲カフ７４は、所謂引っ張りカフである。甲カフ７４は、流路部１５を介してポンプ１４に流体的に接続される。甲カフ７４は、膨張することで手首２００から離間するようにカーラ５を押圧することで、ベルト４及びカーラ５を手首２００の手の甲側に引っ張る。甲カフ７４は、複数の、例えば六層の空気袋１０１と、空気袋１０１と連通するチューブ１０２と、チューブ１０２の先端に設けられた接続部１０３と、を含む。
【００８３】
また、甲カフ７４は、膨張方向、本実施形態においては、カーラ５及び手首２００の対向する方向で、膨張時の厚さが、平カフ７１の膨張方向における膨張時の厚さ、及び、センシングカフ７３の膨張方向における膨張時の厚さよりも厚く構成される。即ち、甲カフ７４の空気袋１０１は、平カフ７１の空気袋８１及びセンシングカフ７３の空気袋９１よりも多い層構造を有し、カーラ５から手首２００に向かって膨張したときの厚さが平カフ７１及びセンシングカフ７３よりも厚い。
【００８４】
ここで、空気袋１０１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。複数の空気袋１０１は、積層され、積層方向に流体的に連通する。
【００８５】
空気袋１０１は、一方向に長い矩形状に構成される。空気袋１０１は、例えば、一方向に長い二枚のシート部材１０６を組み合わせ、縁部を熱により溶着することで構成される。具体例として、六層の空気袋１０１は、図１０及び図１１に示すように、生体側から、第７シート部材１０６ａと、第８シート部材１０６ｂと、第９シート部材１０６ｃと、第１０シート部材１０６ｄと、第１１シート部材１０６ｅと、第１２シート部材１０６ｆと、第１３シート部材１０６ｇと、第１４シート部材１０６ｈと、第１５シート部材１０６ｉと、第１６シート部材１０６ｊと、第１７シート部材１０６ｋと、第１８シート部材１０６ｌと、を備えている。なお、六層の空気袋１０１は、隣り合う空気袋１０１の各シート部材１０６が両面テープ及び接着剤等による接着又は溶着等により接合されることで一体に構成される。
【００８６】
第７シート部材１０６ａ及び第８シート部材１０６ｂは、四辺の周縁部が溶着されることで、一層目の空気袋１０１を構成する。第８シート部材１０６ｂ及び第９シート部材１０６ｃは、対向して配置され、一体に接着される。第８シート部材１０６ｂ及び第９シート部材１０６ｃは、隣り合う空気袋１０１を流体的に連続させる複数の開口１０６ｂ１、１０６ｃ１を有する。第９シート部材１０６ｃ及び第１０シート部材１０６ｄは、四辺の周縁部が溶着されることで、二層目の空気袋１０１を構成する。
【００８７】
第１０シート部材１０６ｄ及び第１１シート部材１０６ｅは、対向して配置され、一体に接着される。第１０シート部材１０６ｄ及び第１１シート部材１０６ｅは、隣り合う空気袋１０１を流体的に連続させる複数の開口１０６ｄ１、１０６ｅ１を有する。第１１シート部材１０６ｅ及び第１２シート部材１０６ｆは、四辺の周縁部が溶着されることで、三層目の空気袋１０１を構成する。
【００８８】
第１２シート部材１０６ｆ及び第１３シート部材１０６ｇは、対向して配置され、一体に接着される。第１２シート部材１０６ｆ及び第１３シート部材１０６ｇは、隣り合う空気袋１０１を流体的に連続させる複数の開口１０６ｆ１、１０６ｇ１を有する。第１３シート部材１０６ｇ及び第１４シート部材１０６ｈは、四辺の周縁部が溶着されることで、四層目の空気袋１０１を構成する。
【００８９】
第１４シート部材１０６ｈ及び第１５シート部材１０６ｉは、対向して配置され、一体に接着される。第１４シート部材１０６ｈ及び第１５シート部材１０６ｉは、隣り合う空気袋１０１を流体的に連続させる複数の開口１０６ｈ１、１０６ｉ１を有する。第１５シート部材１０６ｉ及び第１６シート部材１０６ｊは、四辺の周縁部が溶着されることで、五層目の空気袋１０１を構成する。
【００９０】
第１６シート部材１０６ｊ及び第１７シート部材１０６ｋは、対向して配置され、一体に接着される。第１６シート部材１０６ｊ及び第１７シート部材１０６ｋは、隣り合う空気袋１０１を流体的に連続させる複数の開口１０６ｊ１、１０６ｋ１を有する。第１７シート部材１０６ｋ及び第１８シート部材１０６ｌは、矩形枠状に周縁部が溶着されることで、六層目の空気袋１０１を構成する。また、例えば、第１７シート部材１０６ｋ及び第１８シート部材１０６ｌの一辺に、空気袋１０１の内部空間と流体的に連続するチューブ１０２が配置され、溶着により固定される。例えば、第１７シート部材１０６ｋ及び第１８シート部材１０６ｌは、第１７シート部材１０６ｋ及び第１８シート部材１０６ｌの間にチューブ１０２が配置された状態で矩形枠状に周縁部を溶着して空気袋１０１を成形することで、チューブ１０２が一体に溶着される。
【００９１】
例えば、このような六層目の空気袋１０１は、平カフ７１の二層目の空気袋８１と一体に構成される。即ち、第１７シート部材１０６ｋは、第３シート部材８６ｃと一体に構成され、第１８シート部材１０６ｌは、第４シート部材８６ｄと一体に構成される。
【００９２】
より詳細に述べると、第３シート部材８６ｃ及び第１７シート部材１０６ｋは、一方向に長い矩形状のシート部材を構成し、第１８シート部材１０６ｌ及び第４シート部材８６ｄは、一方向に長い矩形状のシート部材を構成する。そして、これらシート部材を重ね合わせて、一方の端部側を矩形枠状であって、且つ、他方の端部側の一辺の一部を除いて溶着する。これにより、平カフ７１の二層目の空気袋８１が構成される。そして、他方の端部側を矩形枠状であって、且つ、一方の端部側の一辺の一部を除いて溶着することで、甲カフ７４の六層目の空気袋１０１が構成される。また、二層目の空気袋８１及び六層目の空気袋１０１は、それぞれ対向する側の一辺の一部が溶着されないことから、流体的に連続する。
【００９３】
チューブ１０２は、六層の空気袋１０１のうち一つの空気袋１０１に接続されるとともに、空気袋１０１の長手方向の一方の端部に設けられる。具体例として、チューブ１０２は、六層の空気袋１０１のカーラ５側であって、且つ、装置本体３に近い端部に設けられる。チューブ１０２は、先端に、接続部１０３を有する。チューブ１０２は、流体回路７のうち、装置本体３と空気袋１０１との間の流路を構成する。接続部１０３は、例えばニップルである。
【００９４】
なお、これらの説明のように、本実施形態において、甲カフ７４は、一部が平カフ７１と一体に構成され、平カフ７１と流体的に連続する構成を説明したが、これに限定されず、例えば、図８に示すように、甲カフ７４は、平カフ７１と別体に構成され、平カフ７１と流体的に非連続であってもよい。このような構成とする場合には、平カフ７１は、センシングカフ７３及び甲カフ７４と同様に、さらにチューブ、接続部を設け、また、流体回路７においても、平カフ７１へ流体を供給する流路、逆止弁及び圧力センサを接続する構成とすればよい。
【００９５】
また、平カフ７１、センシングカフ７３及び甲カフ７４を形成する各シート部材８６、９６、１０６は、熱可塑性樹脂材料により形成される。熱可塑性樹脂材料は、熱可塑性エラストマーである。シート部材８６、９６、１０６を構成する熱可塑性樹脂材料としては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。なお、平カフ７１、センシングカフ７３は、少なくとも空気袋８１、１０１を構成する複数のシート部材８６、１０６のうち、少なくともカーラ５と溶着されるシート部材８６、１０６がカーラ５と同種材料で構成される。
【００９６】
例えば、シート部材８６、９６、１０６は、Ｔダイ押し出し成形や射出成形等の成形方式が用いられる。シート部材８６、９６、１０６は、各成形方式で成形された後、所定の形状にサイジングされ、そして、サイジングした個片を溶着等により接合することで袋状構造体８１、９１、１０１を構成する。溶着の方式としては、高周波ウェルダーやレーザー溶着が用いられる。
【００９７】
次に、このようなカーラ５及びカフ構造体６に用いられる樹脂材料の一例を説明する。まず、上述したように、カーラ５は、可撓性及び形状保持性を有する硬さを有することが求められる。
【００９８】
また、カフ構造体６は、空気袋８１、９１、１０１が膨張する構成であり、また、空気袋８１は、シート部材８６、９６、１０６が溶着により構成されるとともに、平カフ７１の空気袋８１及び甲カフ７４の空気袋１０１は、カーラ５に溶着される。
【００９９】
このため、少なくとも、カーラ５と、カーラ５に溶着される平カフ７１の空気袋８１のシート部材８６及び甲カフ７４の空気袋１０１のシート部材１０６は、溶着時に、相溶性を有し、そして、軟化する温度が好適な組み合わせとなるように、同種の材料により構成される。
【０１００】
なお、平カフ７１及び甲カフ７４は、カーラ５と溶着されるシート部材８６、１０６がカーラ５と同種材料に構成されていればよい。しかしながら、空気袋８１、１０１を形成するときに積層された隣り合うシート部材８６、１０６を溶着することから、すべてのシート部材８６を同一材料で構成することが好ましい。
【０１０１】
例えば、カーラ５は、例えば、熱可塑性ポリウレタン樹脂（ＴＰＵ）の１１７４Ｄが用いられ、そして、平カフ７１及び甲カフ７４は、熱可塑性ポリウレタン樹脂（ＴＰＵ）のＲ１９５Ａが用いられる。なお、カーラ５と平カフ７１及び甲カフ７４とが、並びに、隣り合うシート部材８６、９６、１０６が好適な溶着が可能であれば、シート部材８６、９６、１０６は、単層構造を有していても良く、また、複層構造を有していても良い。
【０１０２】
流体回路７は、ケース１１、ポンプ１４、流路部１５、開閉弁１６、圧力センサ１７、平カフ７１、センシングカフ７３、及び、甲カフ７４によって構成される。流体回路７に用いられる二つの開閉弁１６を第１開閉弁１６Ａ及び第２開閉弁１６Ｂとし、二つの圧力センサ１７を第１圧力センサ１７Ａ及び第２圧力センサ１７Ｂとして、以下、流体回路７の具体例を説明する。
【０１０３】
流体回路７は、図５に示すように、例えば、ポンプ１４から平カフ７１及び甲カフ７４を連続する第１流路７ａと、第１流路７ａの中途部が分岐されることで構成され、ポンプ１４からセンシングカフ７３を連続する第２流路７ｂと、第１流路７ａと大気を接続する第３流路７ｃと、を備えている。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【０１０４】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが閉じることで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【０１０５】
次に、血圧測定装置１を使用した血圧値の測定の一例について、図１４乃至図１７を用いて説明する。図１４は、血圧測定装置１を用いた血圧測定の一例を示す流れ図であり、ユーザの動作及び制御部５５の動作の双方を示す。また、図１５乃至図１７は、ユーザが手首２００に血圧測定装置１を装着する一例を示す。
【０１０６】
先ず、ユーザは、手首２００に血圧測定装置１を装着する（ステップＳＴ１）。具体例として、例えば、ユーザは、図１５に示すように、手首２００の一方をカーラ５内に挿入する。
【０１０７】
このとき、血圧測定装置１は、装置本体３及びセンシングカフ７３がカーラ５の相対する位置に配置されることから、センシングカフ７３を手首２００の手の平側の動脈２１０が存する領域に配置される。これにより、装置本体３及び甲カフ７４は、手首２００の手の甲側に配される。次いで図１６に示すように、ユーザが血圧測定装置１を配した手とは反対の手によって、第１ベルト６１の尾錠６１ｃの枠状体６１ｄに第２ベルト６２を通す。次いで、ユーザは、第２ベルト６２を引っ張り、カーラ５の内周面側の部材、即ち、カフ構造体６を手首２００に密着させ、小孔６２ａにつく棒６１ｅを挿入する。これにより、図１７に示すように、第１ベルト６１及び第２ベルト６２が接続され、血圧測定装置１が手首２００に装着される。
【０１０８】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ２）。制御部５５は、当該電気信号を受信すると、例えば、第１開閉弁１６Ａを開くとともに、第２開閉弁１６Ｂを閉じ、ポンプ１４を駆動し、第１流路７ａ及び第２流路７ｂを介して平カフ７１、センシングカフ７３及び甲カフ７４へ圧縮空気を供給する（ステップＳＴ３）。これにより、平カフ７１、センシングカフ７３及び甲カフ７４は膨張を開始する。
【０１０９】
第１圧力センサ１７Ａ及び第２圧力センサ１７Ｂは、平カフ７１、センシングカフ７３及び甲カフ７４の圧力をそれぞれ検出し、この圧力に対応した電気信号を制御部５５へ出力する（ステップＳＴ４）。制御部５５は、受信した電気信号に基づいて、平カフ７１、センシングカフ７３及び甲カフ７４の内部空間の圧力が血圧測定のための所定の圧力に達しているか否かを判断する（ステップＳＴ５）。例えば、平カフ７１及び甲カフ７４の内圧が所定の圧力に達しておらず、且つ、センシングカフ７３の内圧が所定の圧力に達した場合には、制御部５５は、第１開閉弁１６Ａを閉じ、第１流路７ａを介して圧縮空気を供給する。
【０１１０】
平カフ７１及び甲カフ７４の内圧並びにセンシングカフ７３の内圧が、全て所定の圧力に達した場合には、制御部５５は、ポンプ１４の駆動を停止する（ステップＳＴ５でＹＥＳ）。このとき、図１２及び図１３に示すように、平カフ７１及び甲カフ７４は十分に膨張しており、膨張した平カフ７１は、背板７２を押圧する。また、甲カフ７４は、手首２００から離間する方向に、カーラ５を押圧することから、ベルト４、カーラ５及び装置本体３は、手首２００から離間する方向に移動し、結果、平カフ７１、背板７２、センシングカフ７３が手首２００側に引っ張られる。加えて、甲カフ７４の膨張によってベルト４、カーラ５及び装置本体３が手首２００から離間する方向に移動するときに、ベルト４及びカーラ５が、手首２００の両側方に向かって移動し、手首２００の両側方に密着した状態で、ベルト４、カーラ５及び装置本体３が移動する。このため、手首２００の皮膚に密着したベルト４及びカーラ５は、手首２００の両側方の皮膚を手の甲側に引っ張る。なお、カーラ５は、手首２００の皮膚を引っ張ることができれば、例えば、シート部材８６、１０６を介して間接的に手首２００の皮膚に接触する構成であってもよい。
【０１１１】
さらに、センシングカフ７３は、内圧が血圧を測定するために要する圧力となるように所定の空気量が供給され、膨張しており、そして、平カフ７１に押圧された背板７２によって手首２００に向かって押圧される。このため、センシングカフ７３は、手首２００内の動脈２１０を押圧し、図１３に示すように動脈２１０を閉塞する。
【０１１２】
また、制御部５５は、例えば、第２開閉弁１６Ｂを制御し、第２開閉弁１６Ｂの開閉を繰り返すか、又は、第２開閉弁１６Ｂの開度を調整することで、平カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める（ステップＳＴ６）。制御部５５は、求めた測定結果に対応した画像信号を、表示部１２へ出力し、測定結果を表示部１２に表示する（ステップＳＴ７）。また、制御部５５は、血圧測定終了後、第１開閉弁１６Ａ及び第２開閉弁１６Ｂを開く。
【０１１３】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｅを外し、枠状体６１ｄから第２ベルト６２を外し、カーラ５から手首２００を抜くことで、手首２００から血圧測定装置１を取り外す。
【０１１４】
このように構成された一実施形態に係る血圧測定装置１は、カーラ５と、カーラ５と平カフ７１及び甲カフ７４とを熱溶着により接合する構成である。また、血圧測定装置１は、カーラ５、平カフ７１及び甲カフ７４の少なくとも溶着する部位を、相溶性がよく、また、軟化温度が同じか又は近い同種材料である熱可塑性樹脂材料とする構成である。
【０１１５】
これにより、カーラ５と平カフ７１及び甲カフ７４とを接合したときに、カーラ５に平カフ７１及び甲カフ７４を好適に溶着することができる。結果として、カーラ５と平カフ７１及び甲カフ７４との接合部位の接合強度を向上することが可能となる。なお、ここで、好適な溶着とは、接合部位が離れるまでカーラ５と平カフ７１及び甲カフ７４に引っ張り荷重を印加したときに、接合部位が界面剥離するのではなく、材料破断する溶着をいう。
【０１１６】
このように、カーラ５と膨張及び収縮を繰り返す平カフ７１及び甲カフ７４の接合強度が向上することから、カーラ５及びカフ構造体６は、高耐久性を有する。また、カーラ５に高い接合強度でカフ構造体６が接合されることで、カフ構造体６がカーラ５の内周面に沿った姿勢で膨張及び収縮を繰り返すことから、カフ構造体６の皺や折れが生じることを抑制し、カフ構造体６内の圧力分布に偏りが生じることを防止できる。
【０１１７】
また、血圧測定装置１は、好適に熱溶着が可能な樹脂材料をカーラ５、平カフ７１及び甲カフ７４に用いることで、カーラ５と平カフ７１及び甲カフ７４とを直接溶着できる。このため、図１１に示すように、カーラ５及びカフ構造体６は、カーラ５と平カフ７１及び甲カフ７４との当接するいずれかの部位をまた溶着すればよく、接着層を設ける必要や、接着や縫製のための接合代を取る必要がない。
【０１１８】
また、従来の構成のように、カーラ及びカフ構造体を、接着層を用いて接合すると、接着層の分だけ、厚さ方向の寸法が増加する。また、カーラ及びカフ構造体を、縫製やリベット接合等の接合方法により接合する場合には別部材を要することから、別部材が設けられる分だけ、幅方向や厚さ方向の寸法が増加する。
【０１１９】
しかしながら、本実施形態のカーラ５及びカフ構造体６は、溶着によって接合できることから、接着層や別部材によって接合する場合に生じる幅方向の寸法や厚さ方向の寸法が増加することがなく、接合による寸法の増加を防止できる。結果として、血圧測定装置１は、カーラ５及びカフ構造体６の外形状が大きくなることを防止できる。
【０１２０】
これらの結果、血圧測定装置１を小型とするが可能となるとともに、高い精度の血圧測定を長期間安定して行うことが可能となる。
【０１２１】
また、カーラ５は、平カフ７１及び甲カフ７４の樹脂材料と同種材料で形成される構成とすることで、一種類の樹脂材料で構成することが可能となることから、製造が容易となる。また、カーラ５は、全ての部位においてカフ構造体６と熱による溶着が可能となることから、溶着部位の設計に高い自由度を有する。
【０１２２】
さらに、血圧測定装置１は、カーラ５にカフ構造体６を熱により溶着する構成とすることで、カフ構造体６の幅方向の寸法をカーラ５の幅方向の寸法と同寸法以下とすることができる。このため、カーラ５と同位置、又は、カーラ５よりも内側にカフ構造体６を配置することが可能となり、血圧測定装置１の小型化が可能となる。
【０１２３】
この効果について具体的に説明する。例えば、血圧測定装置は、接着層や別部材によって接合する場合には、接合代が必要となる。カーラ５の幅方向で、カフの幅を小さくすることで接合代を確保しても血圧測定装置の外形寸法を大きくすることも考えられる。しかしながら、カフの幅を小さくすると、血圧測定における測定精度が低下する。しかしながら、本実施形態の血圧測定装置１は、カーラ５及びカフ構造体６を熱によって溶着することから、カフ構造体６の各カフ７１、７４の幅をカーラ５の幅に合わせることができる。これにより、カーラ５にカフ構造体６を接合できるとともに、各カフ７１、７４の幅を確保できることから、血圧測定における測定精度を維持したまま、血圧測定装置１の小型が可能となる。
【０１２４】
上述したように本実施形態に係る血圧測定装置１によれば、カーラ５に同種材料で構成された平カフ７１及び甲カフ７４を熱溶着することで、小型化が可能となる。
【０１２５】
［第２の実施形態］
次に、血圧測定装置１の第２の実施形態について、図１８乃至図２２を用いて説明する。なお、第２の実施形態に係る血圧測定装置１は、カーラ５Ａを複合材料とする構成であり、この点で、単一材料でカーラ５を構成する上述した第１の実施形態に係る血圧測定装置１と異なる。このため、第２の実施形態の血圧測定装置１の構成のうち、上述した第１の実施形態に係る血圧測定装置１と同様の構成については同一符号を付して説明するとともに、その説明及び図示を適宜省略する。
【０１２６】
このような第２の実施形態に係る血圧測定装置１は、装置本体３と、手首に装置本体３を固定するベルト４と、ベルト４及び手首の間に配置されるカーラ５Ａと、平カフ７１、センシングカフ７３及び甲カフ７４を有するカフ構造体６と、装置本体３及びカフ構造体６を流体的に接続する流体回路７と、を備えている。
【０１２７】
カーラ５Ａは、複数の材料で構成され、カフ構造体６と熱により溶着される部位が、カフ構造体６と同種材料により構成される。
【０１２８】
具体的に説明すると、カーラ５Ａは、手首の周方向に沿って湾曲する帯状に構成される。カーラ５Ａは、一端と他端が離間して形成される。カーラ５Ａは、例えば、一端側の外面が装置本体３の裏蓋３５に固定される。カーラ５Ａは、一端及び他端が裏蓋３５よりも突出した位置に配置される。また、カーラ５Ａは、所定の距離だけ離間して一端及び他端が隣接する。
【０１２９】
具体例として、カーラ５Ａは、ビス３５ａ等を用いて裏蓋３５と共に、外郭ケース３１又は基部３３の生体側の端部に固定される。また、カーラ５Ａは、血圧測定装置１を手首２００に装着したときに、一端及び他端が手首２００の一方の側方へ位置するように、裏蓋３５に固定される。
【０１３０】
具体例として、カーラ５Ａは、例えば、手首の周方向に対して直交する方向、換言すると手首の長手方向からの側面視で手首２００の周方向に沿って湾曲する形状を有する。カーラ５Ａは、例えば、装置本体３から手首２００の手の甲側及び手首２００の一方の側方側を通って手首２００の手の平側へと渡り、手首２００の他方の側方側へと延びる。即ち、カーラ５Ａは、手首２００の周方向に沿って湾曲することで、手首２００の周方向の大半に渡って配置されるとともに、両端が所定の間隔を有して離間する。
【０１３１】
カーラ５Ａは、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５Ａが予め賦形された形状を維持できることをいう。例えば、形状保持性とは、本実施形態においてはカーラ５Ａの形状が手首の周方向に沿って湾曲する形状を維持できることである。
【０１３２】
カーラ５Ａは、内周面にカフ構造体６が配置され、そして、カーラ５Ａの内周面形状に沿ってカフ構造体６を保持する。具体例として、カーラ５Ａは、平カフ７１及び甲カフ７４が内周面に配置され、内周面又は外周面に平カフ７１及び甲カフ７４が熱により溶着されることで、カフ構造体６が固定される。
【０１３３】
カーラ５Ａは、熱可塑性樹脂材料により構成される。例えば、カーラ５Ａは、平カフ７１及び甲カフ７４が溶着される領域を含む第１部位５ａと、第１部位５ａ以外の第２部位５ｂとを備える。カーラ５Ａは、例えば、射出成形等の樹脂成形により第１部位５ａ及び第２部位５ｂが一体に形成される。
【０１３４】
第１部位５ａは、少なくとも平カフ７１及び甲カフ７４が溶着される領域に設定される。第１部位５ａは、平カフ７１及び甲カフ７４と同種材料で構成される。第１部位５ａは、第２部位５ｂとともにカーラ５Ａの機能を発揮でき、そして、平カフ７１及び甲カフ７４が溶着可能であれば、その範囲、形状等は適宜設定できる。
【０１３５】
第２部位５ｂは、カーラ５Ａのうち第１部位５ａ以外の部位を構成する。第２部位５ｂは、カーラ５Ａの可撓性及び形状保持性を得るために設けられる。第２部位５ｂは、第１部位５ａとともにカーラ５Ａの機能を発揮できれば、その範囲、形状等は適宜設定できる。例えば、第２部位５ｂは、第１部位５ａよりも高い硬い材料であって、且つ、第１部位５ａよりも低い弾性率を有する材料により構成される。
【０１３６】
第２部位５ｂを構成する材料としては、例えば、ポリプロピレン（PolyproPylene）、ポリエチレンテレフタレート（PolyEthyleneTerephthalate）、ポリエチレンナフタレート（PolyEthylene Naphthalate）を用いることができる。また、第２部位５ｂは、金属板等の金属材料に形成されていてもよい。
【０１３７】
本実施形態においては、内周面側にカフ構造体６が溶着される一例として、図１８に示すように、カーラ５Ａは、外周面側に第１部位５ａが設けられ、そして、内周面側に第２部位５ｂが設けられる二層構造を有する。
【０１３８】
このように構成されたカーラ５Ａを有する血圧測定装置１は、上述した第１の実施形態に係る血圧測定装置１と同様に、小型化が可能、且つ、高い精度の血圧測定を長期間安定して行うことが可能となる。また、カーラ５Ａは、カフ構造体６と溶着する部位を、カフ構造体６の溶着する部位の材料と同種材料とし、他の部位を異種材料とする複合材料により構成する。
【０１３９】
このような構成とすることで、カーラ５Ａは、カフ構造体６と好適な熱溶着が可能となるとともに、カーラ５Ａに求められる可撓性及び形状保持性を容易に得ることが可能となる。また、カーラ５Ａを第１部位５ａによってカフ構造体６と熱による溶着を可能とし、そして、第２部位５ｂによってカーラ５Ａに求められる機能を得られることから、カーラ５Ａが求められる機能に応じて、第２部位５ｂの材料を適宜選択できる。このように、カーラ５Ａは、材料の選定に高い自由度を有する。
【０１４０】
なお、本発明は上述した各実施形態に限定されない。上述した例では、カーラ５Ａを複合材料で構成する一例として、外周面側に第１部位５ａが設けられ、そして、内周面側に第２部位５ｂが設けられる二層構造を有する構成を説明したがこれに限定されない。例えば、他の実施例として、図１９に示すように、カーラ５Ａは、外面側を第１部位５ａで構成し、そして、芯材として中心側を第２部位５ｂで構成してもよい。
【０１４１】
また、他の実施例として、図２０に示すように、カーラ５Ａ及びカフ構造体６は、カーラ５Ａ及びカフ構造体６の長手方向に沿った縁で溶着する構成とし、カーラ５Ａの長手方向に沿った両縁部を第１部位５ａで構成し、中央側を第２部位５ｂで構成してもよい。また、図２１に示すように、カーラ５Ａは、溶着が行われる部位に第１部位５ａを複数配置する構成であってもよい。
【０１４２】
また、他の実施例として、図２２に示すように、血圧測定装置１は、平カフ７１及び甲カフ７４にカーラ５Ａの外周面に配置され、カーラ５Ａと接合される接合片９９を有し、カーラ５Ａの外周面側に、第１部位５ａが配置される構成であってもよい。
【０１４３】
接合片９９は、例えば、空気袋８１、１０１の少なくとも一層目のシート部材８６、１０６の幅をカーラ５Ａの幅よりも大きくし、このシート部材８６、１０６の幅方向の二つの縁を折り返すことで構成される。このように、接合片９９をカフ構造体６の一部で構成し、この接合片９９をカーラ５Ａの外周面に向かって折り返して接合することから、カーラ５Ａの外周面でカフ構造体６を溶着しても、カーラ５Ａの幅方向の寸法が増加することを抑制することが可能となり、血圧測定装置１の小型化が可能となる。
【０１４４】
また、カーラ５Ａ及び空気袋８１、１０１の溶着は、カーラ５、５Ａの両面で行う構成としてもよい。具体例として、血圧測定装置１は、空気袋８１、１０１に接合片９９を設け、接合片９９及びカーラ５Ａの外周面を溶着するとともに、シート部材８６、１０６及びカーラ５Ａの内周面を溶着することで、カーラ５、５Ａの両面で溶着する。このような構成とすることで、より強固にカーラ５、５Ａ及びカフ構造体６を接合することができる。
【０１４５】
また、上述した例では、カーラ５Ａに平カフ７１及び甲カフ７４の樹脂材料と同種材料の第１部位５ａを設ける構成を説明したがこれに限定されない。例えば、他の実施形態として、図２３に示すように、カーラ５と溶着される平カフ７１及び甲カフ７４の空気袋８１、１０１を構成するシート部材８６、１０６のうち、カーラ５と対向するシート部材８６、１０６を複層構造の８６Ａ、１０６Ａとし、複層構造のシート部材８６Ａ、１０６Ａのカーラ５側の樹脂材料をカーラ５の樹脂材料と同種材料としてもよい。
【０１４６】
また例えば、血圧測定装置１は、血圧測定時における第１開閉弁１６Ａ及び第２開閉弁１６Ｂの開閉のタイミングは、上述した例に限定されず、適宜設定できる。また、血圧測定装置１は、血圧測定を平カフ７１の加圧過程において測定した圧力で血圧を算出する例を説明したがこれに限定されず、減圧過程で血圧を算出してもよく、また、加圧過程及び減圧過程の双方で血圧を算出してもよい。
【０１４７】
また、上述した例では、平カフ７１は、空気袋８１を各シート部材８６によって形成する構成を説明したがこれに限定されず、例えば、平カフ７１の変形や膨張を管理するために、さらに、空気袋８１は他の構成を含んでいても良い。
【０１４８】
また、上述した例では、背板７２は、複数の溝７２ａを有する構成を説明したがこれに限定されない。例えば、背板７２は、変形しやすさ等を管理するために、複数の溝７２ａの数や深さ等を適宜設定可能であり、また、変形を抑制する部材を含む構成であってもよい。
【０１４９】
また、上述した例では、血圧測定装置１として、カーラ５、５Ａ及びカフ構造体６を熱溶着により接合する構成を説明したがこれに限定されない。例えば、血圧測定装置１は、カフ構造体６をカーラ５、５Ａに接合する製造工程において、予め両面テープ等の接着層によってカフ構造体６をカーラ５、５Ａに仮止めする工程を行い、その後熱溶着する構成としてもよい。また、血圧測定装置１は、熱溶着に加えて、カーラ５、５Ａ及びカフ構造体６の一部を、両面テープ等の接着層によって接合する構成としてもよい。これらの構成の血圧測定装置１は、接着層による仮止めや一部の接合及び熱溶着による接合によりカーラ５、５Ａ及びカフ構造体６を接合する構成であることから、接着層のみによる接合よりも必要とする接着層が少ない。また、仮止めや一部の接合は、カーラ５、５Ａ及びカフ構造体６の当接する部位で行うことができることから、接着層を用いた接合のために接合代を別途設ける必要もない。このため、血圧測定装置１を小型化することができる。
【０１５０】
さらに、上述した例では、血圧測定装置１は、手首２００に装着されるウェアラブルデバイスの例を用いて説明したがこれに限定されない。例えば、血圧測定装置は、上腕に巻き付けて血圧を測定する血圧測定装置１Ｂであってもよい。以下、第３の実施形態として、血圧測定装置１Ｂを図２４乃至図２６を用いて説明する。なお、本実施形態の構成のうち、上述した第１の実施形態に係る血圧測定装置１と同様の構成については同一符号を付して説明するとともに、その説明及び図示を適宜省略する。
【０１５１】
例えば、図２４乃至図２６に示すように、第３の実施形態における血圧測定装置１Ｂは、装置本体３Ｂと、カフ構造体６Ｂとを備える。装置本体３Ｂは、例えば、ケース１１Ｂと、表示部１２と、操作部１３と、ポンプ１４と、流路部１５と、開閉弁１６と、圧力センサ１７と、電力供給部１８と、制御基板２０と、を備えている。図２６に示すように、装置本体３Ｂは、それぞれ一つのポンプ１４、開閉弁１６及び圧力センサ１７を有する。
【０１５２】
ケース１１Ｂは、例えば箱状に構成される。ケース１１Ｂは、カフ構造体６Ｂを固定する取付部１１ａを有する。取付部１１ａは、例えば、ケース１１Ｂの裏面に設けられた開口である。
【０１５３】
図２４乃至図２６に示すように、カフ構造体６Ｂは、熱可塑性樹脂材料で構成されたカーラ５Ｂと、カーラ５Ｂの生体側に設けられた、熱可塑性樹脂材料で構成された押圧カフ７１Ｂと、カーラ５Ｂ及び押圧カフ７１Ｂを内部に配置する布等からなる袋状カバー体７６と、を備える。カフ構造体６Ｂは、上腕に巻き付けられる。
【０１５４】
カーラ５Ｂは、例えば、取付部１１ａに固定される突起部５ｃを有する。
【０１５５】
押圧カフ７１Ｂは、空気袋８１Ｂ及び空気袋８１Ｂに設けられ流路部１５に流体的に接続されるチューブと、を備える。押圧カフ７１Ｂは、袋状カバー体７６内にカーラ５Ｂとともに、収容され、カーラ５Ｂの内面に熱による溶着により接合される。
【０１５６】
空気袋８１Ｂは、一方向に長い矩形状に構成される。空気袋８１は、例えば、一方向に長い二枚のシート部材８６を組み合わせ、縁部を熱により溶着することで構成される。具体例として、空気袋８１は、図２５に示すように、生体側から、第１シート部材８６ａと、第１シート部材８６ａと空気袋８１を構成する第２シート部材８６ｂと、を備える。
【０１５７】
このようなカーラ５Ｂ及び押圧カフ７１Ｂの空気袋８１Ｂは、溶着により接合される。また、カーラ５Ｂ及び押圧カフ７１Ｂは、上述したカーラ５、５Ａ並びに平カフ７１及び甲カフ７４と同様に、少なくとも溶着する部位が同種材料に構成される。
【０１５８】
このように構成された血圧測定装置１Ｂは、カーラ５Ｂ及び押圧カフ７１Ｂを溶着により接合するとともに、少なくともカーラ５Ｂ及び押圧カフ７１Ｂの溶着される部位の樹脂材料を同種材料とする。この構成により血圧測定装置１は、上述した第１の実施形態に係る血圧測定装置１と同様に、小型化が可能、且つ、高い精度の血圧測定を長期間安定して行うことが可能となる。
【０１５９】
また、上述した例では、背板７２は、接着剤層や両面テープ等により平カフ７１の第１シート部材８６ａの外面、及び、センシングカフ７３の生体側の主面に貼付される構成を説明したがこれに限定されない。即ち、背板７２は、上述した第１の実施形態に係るカーラ５、又は、第２の実施形態に係るカーラ５Ａと同様に、平カフ７１及びセンシングカフ７３に熱により溶着される構成としてもよい。例えば、このような構成とする場合には、背板７２は、カーラ５と同様に、全てが平カフ７１及びセンシングカフ７３と同種材料で形成されていても良く、また、カーラ５Ａと同様に平角７１及びセンシングカフ７３と溶着する部位が少なくとも平カフ７１及びセンシングカフ７３と同種材料で形成されていても良い。また、背板７２は、平カフ７１又はセンシングカフ７３の一方のみと熱により溶着し、そして、他方とは貼付により接合される構成であってもよい。
【０１６０】
即ち、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１６１】
１、１Ｂ…血圧測定装置
３、３Ｂ…装置本体
４…ベルト
５、５Ａ、５Ｂ…カーラ
５ａ…第１部位
５ｂ…第２部位
５ｃ…突起部
６、６Ｂ…カフ構造体
７…流体回路
７ａ…第１流路
７ｂ…第２流路
７ｃ…第３流路
１１、１１Ｂ…ケース
１１ａ…取付部
１２…表示部
１３…操作部
１４…ポンプ
１５…流路部
１６…開閉弁
１６Ａ…第１開閉弁
１６Ｂ…第２開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３２…風防
３３…基部
３５…裏蓋
３５ａ…ビス
４１…釦
４２…センサ
４３…タッチパネル
５１…基板
５２…加速度センサ
５３…通信部
５４…記憶部
５５…制御部
５６…メインＣＰＵ
５７…サブＣＰＵ
６１…第１ベルト
６１ａ…第１孔部
６１ｂ…第２孔部
６１ｃ…尾錠
６１ｄ…枠状体
６１ｅ…つく棒
６２…第２ベルト
６２ａ…小孔
６２ｂ…第３孔部
７１…平カフ（カフ）
７１Ｂ…押圧カフ
７２…背板
７２ａ…溝
７３…センシングカフ
７４…甲カフ（カフ）
７６…袋状カバー体
８１、８１Ｂ…空気袋（袋状構造体）
８４…案内部
８６、８６Ａ…シート部材
８６ａ…第１シート部材
８６ｂ…第２シート部材
８６ｂ１…開口
８６ｃ…第３シート部材
８６ｃ１…開口
８６ｄ…第４シート部材
９１…空気袋（袋状構造体）
９２…チューブ
９３…接続部
９６…シート部材
９６ａ…第５シート部材
９６ｂ…第６シート部材
９９…接合片
１０１…空気袋（袋状構造体）
１０２…チューブ
１０３…接続部
１０６、１０６Ａ…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ１…開口
１０６ｌ…第１８シート部材
２００…手首
２１０…動脈
【図１】
2020062088.tif 000003
【図２】
2020062088.tif 000004
【図３】
2020062088.tif 000005
【図４】
2020062088.tif 000006
【図５】
2020062088.tif 000007
【図６】
2020062088.tif 000008
【図７】
2020062088.tif 000009
【図８】
2020062088.tif 000010
【図９】
2020062088.tif 000011
【図１０】
2020062088.tif 000012
【図１１】
2020062088.tif 000013
【図１２】
2020062088.tif 000014
【図１３】
2020062088.tif 000015
【図１４】
2020062088.tif 000016
【図１５】
2020062088.tif 000017
【図１６】
2020062088.tif 000018
【図１７】
2020062088.tif 000019
【図１８】
2020062088.tif 000020
【図１９】
2020062088.tif 000021
【図２０】
2020062088.tif 000022
【図２１】
2020062088.tif 000023
【図２２】
2020062088.tif 000024
【図２３】
2020062088.tif 000025
【図２４】
2020062088.tif 000026
【図２５】
2020062088.tif 000027
【図２６】
2020062088.tif 000028